(57)【特許請求の範囲】
【請求項１】
着用状態において上下方向及び横方向とそれらに交差する前後方向とを有し、肌対向面及びその反対側の非肌対向面と、前ウエスト域と、後ウエスト域と、前記前後ウエスト域間に位置し、体液を吸収する吸収体を含むクロッチ域とを有する使い捨て着用物品において、
前記後ウエスト域は、前記肌対向面側に位置して前記横方向へ延びる帯状域と、前記非肌対向面側に位置し、前記横方向における中央部において前記帯状域と前記前後方向において対向して下方へ開口可能なポケットとを含み、
前記ポケットは、前記クロッチ域側から上方へ延びるポケット外側域と、前記ポケット外側域と前記帯状域とにそれぞれ前記前後方向において対向し、前記横方向へ延びる折曲部を介して前記ポケット外側域と連なるとともに、前記折曲部から下方へ延びて前記帯状域とつながるポケット内側域と、前記ポケット内外側域の両側部から形成され、前記横方向の内側へ折り込まれたポケット両側域とを有し、
前記後ウエスト域は、前記帯状域と前記ポケット内側域とを固定し、前記横方向の両側に位置する一対の第１固定域を有し、前記一対の前記第１固定域の間では、前記帯状域と前記ポケット内側域とを非接合とした第１非固定域が位置し、
前記第１固定域は、前記横方向において、前記吸収体の両側縁及び前記吸収体の両側縁を前記上方向へ延長した仮想線のいずれかよりも内方に位置する内方部位と、前記両側縁及び前記仮想線のいずれかよりも外方に位置する外方部位とを有することを特徴とする着用物品。
【請求項２】
前記後ウエスト域は、前記ポケット内側域と前記ポケット外側域とを固定する第２固定域とをさらに有し、
前記第２固定域は、前記横方向において、前記吸収体の両側縁を前記上方向へ延長した前記仮想線よりも内方に位置する前記内方部位と、前記両側縁及び前記仮想線のいずれかよりも外方に位置する前記外方部位とを有する請求項１に記載の着用物品。
【請求項３】
前記外方部位は、前記後ウエスト域の両側域に位置し、
前記第１及び第２固定域は、前記外方部位から前記内方部位まで連続する請求項２に記載の着用物品。
【請求項４】
着用状態において上下方向及び横方向とそれらに交差する前後方向とを有し、肌対向面及びその反対側の非肌対向面と、前ウエスト域と、後ウエスト域と、前記前後ウエスト域間に位置し、体液を吸収する吸収体を含むクロッチ域とを有する使い捨て着用物品において、
前記後ウエスト域は、前記肌対向面側に位置して前記横方向へ延びる帯状域と、前記非肌対向面側に位置し、前記横方向における中央部において前記帯状域と前記前後方向において対向して下方へ開口可能なポケットとを含み、
前記ポケットは、前記クロッチ域側から上方へ延びるポケット外側域と、前記ポケット外側域と前記帯状域とにそれぞれ前記前後方向において対向し、前記横方向へ延びる折曲部を介して前記ポケット外側域と連なるとともに、前記折曲部から下方へ延びて前記帯状域とつながるポケット内側域とを有し、
前記後ウエスト域は、前記帯状域と前記ポケット内側域とを固定し、前記横方向の両側に位置する一対の第１固定域を有し、前記一対の第１固定域の間では、前記帯状域と前記ポケット内側域とを非接合とした第１非固定域が位置し、
前記第１固定域は、前記横方向において、前記吸収体の両側縁及び前記吸収体の両側縁を前記上方向へ延長した仮想線のいずれかよりも内方に位置する内方部位と、前記両側縁及び前記仮想線のいずれかよりも外方に位置する外方部位とを有し、
前記後ウエスト域は、前記ポケット内側域と前記ポケット外側域とを固定する一対の第２固定域をさらに有し、前記一対の第２固定域の間では、前記ポケット内側域と前記ポケット外側域とを非接合とした第２非固定域が位置し、
前記第２固定域は、前記横方向において、前記吸収体の両側縁を前記上方向へ延長した前記仮想線よりも内方に位置する前記内方部位と、前記両側縁及び前記仮想線のいずれかよりも外方に位置する前記外方部位とを有し、
前記外方部位は、前記後ウエスト域の両側域に位置し、
前記第１及び第２固定域は、前記外方部位から前記内方部位まで連続することを特徴とする着用物品。
【請求項５】
前記ポケットは、前記ポケット内外側域の両側部から形成され、前記横方向の内側へ折り込まれたポケット両側域をさらに有する請求項４に記載の着用物品。
【請求項６】
前記ポケット内側域は、前記ポケット内側域を前記横方向へ弾性的に伸縮する弾性部材を有する請求項１〜５のいずれかに記載の着用物品。
【請求項７】
前記ポケット外側域は、前記ポケット外側域を前記横方向へ弾性的に伸縮する弾性部材を有する請求項１〜６のいずれかに記載の着用物品。
【請求項８】
前記帯状域は、前記横方向へ延び、伸長状態で収縮可能に固定された複数条の後上方ウエスト弾性体を有し、
前記帯状域の前記横方向における収縮量が、前記ポケット内側域及び／又は前記ポケット外側域の前記横方向における収縮量よりも大きい請求項１〜７のいずれかに記載の着用物品。
【発明の詳細な説明】
【技術分野】
【０００１】
この発明は、使い捨て着用物品に関する。
【背景技術】
【０００２】
特許文献１には、着用状態において上下方向及び横方向とそれらに交差する前後方向とを有し、肌対向面及びその反対側の非肌対向面と、前ウエスト域と、後ウエスト域と、前後ウエスト域間に位置し、体液を吸収する吸収体を含むクロッチ域とを有する使い捨て着用物品が開示されている。
【０００３】
また、この着用物品は、前ウエスト域の非肌対向面に、帯状のウエスト拡張部を有している。ウエスト拡張部の横方向の両端部は、前ウエスト域のサイドシール部に一体的に接合される一方、横方向において、両端部の間に位置する本体部は前ウエスト域に対して固定されていない。
【先行技術文献】
【特許文献】
【０００４】
【特許文献１】特開２０１１−１８９０６８号公報（Ｐ２０１１−１８９０６８）
【発明の概要】
【発明が解決しようとする課題】
【０００５】
特許文献１に開示の着用物品では、横方向において、ウエスト拡張部の両端部の間に位置する本体部が前ウエスト域に固定されていないため、前ウエスト域の上端部を上方へ持ち上げたとき、前ウエスト域の上端部にかかる力が、ウエスト拡張部の展開に使われてしまうものであった。
【０００６】
そこで、本発明の目的は、従来の技術の改良であって、後ウエスト域の上端部を上方へ持ち上げたとき、吸収体を上方へ移動できる着用物品の提供にある。
【課題を解決するための手段】
【０００７】
上記課題を達成するために、本発明は、着用状態において上下方向及び横方向とそれらに交差する前後方向とを有し、肌対向面及びその反対側の非肌対向面と、前ウエスト域と、後ウエスト域と、前記前後ウエスト域間に位置し、体液を吸収する吸収体を含むクロッチ域とを有する使い捨て着用物品に関する。
【０００８】
第１発明に係る使い捨て着用物品は、前記後ウエスト域は、前記肌対向面側に位置して前記横方向へ延びる帯状域と、前記非肌対向面側に位置し、前記横方向における中央部において前記帯状域と前記前後方向において対向して下方へ開口可能なポケットとを含み、前記ポケットは、前記クロッチ域側から上方へ延びるポケット外側域と、前記ポケット外側域と前記帯状域とにそれぞれ前記前後方向において対向し、前記横方向へ延びる折曲部を介して前記ポケット外側域と連なるとともに、前記折曲部から下方へ延びて前記帯状域とつながるポケット内側域と、前記ポケット内外側域の両側部から形成され、前記横方向の内側へ折り込まれたポケット両側域とを有し、前記後ウエスト域は、前記帯状域と前記ポケット内側域とを固定し、前記横方向の両側に位置する一対の第１固定域を有し、前記一対の前記第１固定域の間では、前記帯状域と前記ポケット内側域とを非接合とした第１非固定域が位置し、前記第１固定域は、前記横方向において、前記吸収体の両側縁及び前記吸収体の両側縁を前記上方向へ延長した仮想線のいずれかよりも内方に位置する内方部位と、前記両側縁及び前記仮想線のいずれかよりも外方に位置する外方部位とを有することを特徴とする。
第２発明に係る使い捨て着用物品は、前記後ウエスト域は、前記肌対向面側に位置して前記横方向へ延びる帯状域と、前記非肌対向面側に位置し、前記横方向における中央部において前記帯状域と前記前後方向において対向して下方へ開口可能なポケットとを含み、前記ポケットは、前記クロッチ域側から上方へ延びるポケット外側域と、前記ポケット外側域と前記帯状域とにそれぞれ前記前後方向において対向し、前記横方向へ延びる折曲部を介して前記ポケット外側域と連なるとともに、前記折曲部から下方へ延びて前記帯状域とつながるポケット内側域とを有し、前記後ウエスト域は、前記帯状域と前記ポケット内側域とを固定し、前記横方向の両側に位置する一対の第１固定域を有し、前記一対の第１固定域の間では、前記帯状域と前記ポケット内側域とを非接合とした第１非固定域が位置し、前記第１固定域は、前記横方向において、前記吸収体の両側縁及び前記吸収体の両側縁を前記上方向へ延長した仮想線のいずれかよりも内方に位置する内方部位と、前記両側縁及び前記仮想線のいずれかよりも外方に位置する外方部位とを有し、前記後ウエスト域は、前記ポケット内側域と前記ポケット外側域とを固定する一対の第２固定域をさらに有し、前記一対の第２固定域の間では、前記ポケット内側域と前記ポケット外側域とを非接合とした第２非固定域が位置し、前記第２固定域は、前記横方向において、前記吸収体の両側縁を前記上方向へ延長した前記仮想線よりも内方に位置する前記内方部位と、前記両側縁及び前記仮想線のいずれかよりも外方に位置する前記外方部位とを有し、前記外方部位は、前記後ウエスト域の両側域に位置し、前記第１及び第２固定域は、前記外方部位から前記内方部位まで連続することを特徴とする。
【０００９】
前記後ウエスト域は、前記ポケット内側域と前記ポケット外側域とを固定する第２固定域とをさらに有し、前記第２固定域は、前記横方向において、前記吸収体の前記両側縁及び前記吸収体の前記両側縁を前記上方へ延長した前記仮想線のいずれかよりも内方に位置する内方部位と、前記両側縁及び前記仮想線のいずれかよりも外方に位置する外方部位とを有する。かかる着用物品によれば、後ウエスト域に上方へ引き上げる力が加えられたとき、吸収体を上方へ移動させることが容易にできるとともに、ポケットの形が崩れることを確実に抑えることができる。
【００１０】
前記外方部位は、前記後ウエスト域の両側域に位置し、前記第１及び第２固定域は、前記外方部位から前記内方部位まで連続する。かかる着用物品によれば、ポケットの形状が崩れるのを確実に抑えることができる。
【００１１】
前記ポケット内側域は、前記ポケット内側域を前記横方向へ弾性的に伸縮する弾性部材を有する。かかる着用物品によれば、ポケット内側域の剛性を向上し、後ウエスト域が上方へ引き上げられる力を吸収体に確実に伝えることができる。
【００１２】
前記ポケット外側域は、前記ポケット外側域を前記横方向へ弾性的に伸縮する弾性部材を有する。かかる着用物品によれば、ポケット外側域の剛性を向上し、後ウエスト域が上方へ引き上げられる力を吸収体に確実に伝えることができる。
【００１３】
前記ポケットは、前記ポケット内外側域の両側部から形成され、前記横方向の内側へ折り込まれたポケット両側域をさらに有する。かかる着用物品によれば、  ポケット両側域を有することによって、ポケットに収容可能な排泄物の量を増大することができる。
【発明の効果】
【００１４】
本発明に係る使い捨て着用物品によれば、第１固定域が、内方部位及び外方部位を有するため、後ウエスト域に上方へ引き上げる力が加えられたとき、吸収体を上方へ移動させることができるとともに、ポケットの形が崩れることを抑えることができる。
【図面の簡単な説明】
【００１５】
図面は、本開示に係る本発明の特定の実施の形態を示し、発明の不可欠な構成ばかりでなく、選択的及び好ましい実施の形態を含む。
【図１】本発明の第１実施形態に係る使い捨て着用物品（おむつ）の背面図。
【図２】各弾性体をおむつの縦方向及び横方向に伸長させた状態における、おむつの一部破断展開図。
【図３】（ａ）ベースシートの一部破断展開平面図、（ｂ）ベースシートの折り畳み行程を示す図、（ｃ）ベースシートが第１及び第２折曲ラインに沿って折曲された状態を示す図。
【図４】後ウエスト域の部分拡大図。
【図５】おむつの一部破断分解斜視図。
【図６】図１に示すＶＩ−ＶＩ線に沿う模式的断面図。
【図７】図１に示すＶＩＩ−ＶＩＩ線に沿う模式的断面図。
【図８】おむつの後ウエスト域において、中央部の上端部を上方へ引き上げた状態を示す斜視図。
【図９】第２実施形態のおむつの着用状態を示す斜視図。
【図１０】（ａ）ベースシートの一部破断展開平面図、（ｂ）ベースシートの折り畳み行程を示す図、（ｃ）ベースシートが第１及び第２折曲ラインに沿って折曲された状態を示す図、（ｄ）ベースシートが第３折曲ラインによって折曲された状態を示す図。
【図１１】おむつの非着用状態における後ウエスト域を上方から視た図。
【図１２】変形例１において、後ウエスト域を示す図４と同様の部分拡大図。
【図１３】変形例２における図２と同様の断面図。
【図１４】変形例３における図６と同様の断面図。
【図１５】変形例４において、吸収シャーシの後端部の横断面図。
【発明を実施するための形態】
【００１６】
［第１実施形態］
本発明の使い捨ておむつの一例として示すパンツ型の使い捨ておむつ１０は、縦方向Ｙと、横方向Ｘと、それらに直交する厚さ方向（３次元方向）Ｚと、着用状態における上下方向（縦方向Ｙ）とを有し、縦方向Ｙに沿って延び、その横方向Ｘの寸法を２等分する縦軸Ｐと、横方向Ｘへ沿って延び、その縦方向Ｙの寸法を２等分する横軸Ｑとを有する。なお、本明細書において、「おむつ１０の平面視において互いに重なる」とは、厚さ方向Ｚにおいて互いに重なることを意味する。また、本明細書で「パンツ型の使い捨ておむつ」とは、両脚を挿入する部位において、レッグホースの有無又はそのホースの長短を問わないものをいう。
【００１７】
図１及び図２を参照すると、おむつ１０は、肌対向面及びそれに対向する非肌対向面と、ウエスト周り方向へ延びる環状の弾性ウエストパネル１１と、弾性ウエストパネル１１に接合される吸収シャーシ１２と、前ウエスト域１３と、後ウエスト域１４と、前後ウエスト域１３，１４の間に位置するクロッチ域１５とを含む。おむつ１０は、縦軸Ｐに関して対称に形成されており、弾性ウエストパネル１１は、前ウエスト域１３に位置する前ウエストパネル１７と、後ウエスト域１４に位置する後ウエストパネル１８とから構成される。
【００１８】
前後ウエスト域１３，１４は、それぞれ、横方向Ｘへ延びる内端縁１３ａ，１４ａと、縦方向Ｙにおいて内端縁１３ａ，１４ａと離間対向して横方向Ｘへ延びる外端縁（前後ウエスト開口縁）１３ｂ，１４ｂと、内外端縁１３ａ，１３ｂ，１４ａ，１４ｂ間において縦方向Ｙへ延びる両側縁１３ｃ，１４ｃとによって画定された横長矩形状を有する。前ウエスト域１３の両側縁１３ｃのそれぞれと後ウエスト域１４の両側縁１４ｃそれぞれとは、互いに重ね合わされて、縦方向Ｙへ断続的に配置されたサイドシーム１９によって連結されておむつ１０の両側縁部（前後ウエスト域１３，１４の両側域）が形成され、ウエスト開口２１と一対のレッグ開口とが画定される。サイドシーム１９は、公知の接着手段、例えば、熱エンボス／デボス加工、ソニック加工等の各種公知の熱溶着手段によってなされる。
【００１９】
＜ポケット＞
図１、図６及び図７を参照すると、おむつ１０は、後ウエスト域１４のウエスト開口２１側において着用者の身体に当接する帯状域（肌対向面に位置する肌に当接する領域）２３と、帯状域２３において後ウエスト域１４の横方向Ｘのほぼ中央に位置し、外端部位４１ｂと内端部４１ａとを有する帯状域２３の中央部４１とを有する。また、おむつ１０は、着用状態における前後方向において、帯状域２３と対向するように位置するポケット３０を有する。ポケット３０は、縦軸Ｐを中心として横方向Ｘへ広がる所定面積域にわたって形成されており、下方へ向かって（非着用状態においては、クロッチ域側へ向かって）開口可能である。帯状域２３とポケット３０とは、後ウエスト域１４のウエスト開口側に位置する。ここで、「後ウエスト域１４のウエスト開口側」とは、後ウエスト域１４の縦方向Ｙの寸法を２等分する線よりも外端縁１４ｂ側の領域を意味する。
【００２０】
ポケット３０は、中央部４１と前後方向において対向し、クロッチ域１５側から上方へ延びるポケット外側域４３と、ポケット外側域４３と帯状域２３とにそれぞれ前後方向において対向し、横方向Ｘへ延びる折曲部３３を介してポケット外側域４３と連なるとともに、折曲部３３から下方へ延びて帯状域２３の中央部４１の内端部４１ａとつながるポケット内側域４２とによって画成される。ポケット内側域４２と帯状域２３の中央部４１とがつながることによって、下方へ向かって折り曲げられた折曲部３１が形成される。ポケット内外側域４２，４３の両側部は互いに重ね合されて固定され、その固定されたポケット内外側域４２，４３の両側域４５が、帯状域２３の両側部に固定される。両側域４５は、サイドシーム１９から横方向Ｘの内側へ延びており、そのため、ポケット３０はサイドシーム１９間において開口する大きさを有するものではなく、少なくとも、後ウエスト域１４の中央部において開口する程度の大きさを有する。ポケット３０は、下方向へ向かって折り曲げられた折曲部３１と、ウエスト開口２１へ（上方向へ）向かって折り曲げられた折曲部３３とを有する。
【００２１】
＜弾性ウエストパネル＞
図２及び図５を参照すると、前ウエストパネル１７は、前ウエスト域１３の外形を画定する前ウエストシート５０を有する。前ウエストシート５０は、吸収シャーシ１２の前端部１２Ａが配置される主体部５２と、主体部５２の縦方向Ｙの外側に位置する延出部５３を有する。延出部５３は、横方向Ｘへ延びる折曲ラインに沿って縦方向Ｙの内側に折曲されて主体部５２と、主体部５２の内面に配置された吸収シャーシ１２の前端部１２Ａとに固定される。前ウエストシート５０の主体部５２と延出部５３との間には、横方向Ｘへ延びるストリング状又はストランド状の複数条の前ウエスト弾性体５５が伸長状態で収縮可能に取り付けられる。
【００２２】
前ウエストシート５０の前ウエスト弾性体５５よりもクロッチ域１５側の部分には、横方向Ｘへ伸縮可能な前弾性シート５１が配置される。前弾性シート５１は、肌対向面側に位置し、吸収シャーシ１２の前端部１２Ａの一部を被覆して、それと両側に位置する主体部５２とに固定される。
【００２３】
後ウエストパネル１８は、肌対向面側に位置する内面シート６１と非肌対向面側に位置する外面シート６２とから構成された後ウエストシート６０と、内外面シート６１，６２間に伸長状態収縮可能に固定された、横方向Ｘへ延びる複数条のストリング状又はストランド状の後下方ウエスト弾性体６３を有する。後ウエスト域１４には、後ウエストパネル１８の外端部において断面略Ω状に折り重ねられた態様を有するベースシート７０が配置される。
【００２４】
＜ベースシート＞
図３（ａ）を参照すると、ベースシート７０は、横方向Ｘへ延びる内端縁７０ａ及び外端縁（後ウエスト開口縁）１４ｂと、内外端縁１４ｂ，７０ａ間において縦方向Ｙへ延びる両側縁７０ｃとによって画定された横長矩形状であって、第１面８０Ａ（肌対向面）とその反対側に位置する第２面８０Ｂ（非肌対向面）と、横方向Ｘへ並行して延びる第１折曲線７１と第２折曲線７２とを有する。ベースシート７０は、外端縁１４ｂと第１折曲線７１との間に位置する外端部７３と、第１折曲線７１と第２折曲線７２との間に位置する中間部７４と、第２折曲線７２と内端縁７０ａとの間に位置する内端部７５とを有する。外端部７３の第２面８０Ｂ側には、横方向Ｘに対向して位置する一対の第１固定域８１Ａが位置し、それらの間には横方向Ｘへ延びる第１非固定域８１Ｂが位置する。中間部７４の第１面８０Ａ側には、横方向Ｘに対向して位置する一対の第２固定域８２Ａが位置し、それらの間には横方向Ｘへ延びる第２非固定域８２Ｂが位置する。第１固定域８１Ａは、帯状域２３とポケット内側域４２とを固定するものであり、第２固定域８２Ａは、ポケット内側域４２とポケット外側域４３とを固定するものである。第１非固定域８１Ｂにおいて、帯状域２３とポケット内側域４２とが固定されておらず、第２非固定域８２Ｂにおいて、ポケット内側域４２とポケット外側域４３とが固定されていない。
【００２５】
ベースシート７０は、肌対向面側に位置する内面シート７６と、非肌対向面側に位置する外面シート７７と、外端部７３において横方向Ｘへ延びる、内外面シート７６，７７間において伸長状態で収縮可能に固定された複数条のストリング状又はストランド状の後上方ウエスト弾性体６４とをさらに有する。図３（ｂ），（ｃ）を参照すると、ベースシート７０は、第１折曲線７１に沿って外端部７３の第２面８０Ｂ側と中間部７４の第２面８０Ｂ側とが互いに当接されるように折曲されるとともに、第２折曲線７２に沿って中間部７４の第１面８０Ａ側と内端部７５の第１面８０Ａ側とが互いに当接されるように折曲されることによって、縦断面において略Ｚ字状に折曲された状態が維持される。
【００２６】
図４の右側の部分は、第２固定域８２Ａを示すために説明の便宜上、ベースシート７０の外端部７３及び中間部７４を破断してあり、図４の左側の部分は、第１固定域８１Ａを示すために説明の便宜上、ベースシート７０の外端部７３を破断してある。第１固定域８１Ａと第２固定域８２Ａとは、横方向Ｘへ連続して延び、それらの横方向Ｘの寸法がほぼ同等であって、それらの間に位置する第１及び第２非固定域８１Ｂ，８２Ｂの横方向Ｘの寸法もほぼ同等である。第１及び第２固定域８１Ａ，８２Ａは、吸収体８５の両側縁８５ｃを上下方向へ延長した仮想線Ｌ３よりも内方に位置する内方部位８１ｂ，８２ｂと、仮想線Ｌ３よりも外方に位置する外方部位８１ｃ，８２ｃとを有している。外方部位８１ｃ，８２ｃは、サイドシーム１９に重なる。また、第１及び第２非固定域８１Ｂ，８２Ｂは、おむつ１０の平面視において互いに重なって位置する。第１及び第２固定域８１Ａ，８２Ａは、例えば、ホットメルト接着剤等の公知の接着剤を塗布したり、ヒートシール等の公知の熱溶着手段によって形成される。
【００２７】
図２を参照すると、ベースシート７０は、横軸Ｑへ向かって凹状の固定域（第３固定域）８３を介して、吸収シャーシ１２と後ウエストパネル１８とに固定される。第３固定域８３は、横方向Ｘにおいて対向して位置し、第１及び第２固定域８１Ａ，８２Ａと同形同大であって、おむつ１０の平面視において、第１及び第２固定域８１Ａ，８２Ａと重なるベース部８３ａと、おむつ１０の平面視において、第１及び第２固定域８１Ａ，８１Ｂと重ならず、一対のベース部８３ａを連結する連結部８３ｂとを有している。このようにベースシート７０が複数の折曲ラインによって折り畳まれた状態で固定されることによって、外端部７３によって後ウエスト域１４の帯状域２３が形成され、中間部７４の第２非固定域８２Ｂによってポケット内側域４２が形成され、内端部７５の第２非固定域８２Ｂと対向する部分によってポケット外側域４３が形成される。また、第２固定域８２Ａを介してポケット内側域４２の両側部とポケット外側域４３の両側部とが互いに重なり合った状態で接合される。
【００２８】
本実施形態においては、後ウエストシート６０に別体からなるベースシート７０を固定することによってポケット３０等を形成したが、本発明の技術的な効果を奏する限りにおいて、後ウエストシート６０とベースシート７０とを一体のシートで形成してもよいし、帯状域２３を後ウエストシート６０と同一のシート部材で形成し、帯状域２３に別体のシート部材を固定してポケット３０を形成してもよい。また、ベースシート７０を弾性伸縮性の１枚の繊維不織布シートから形成してもよいし、後上方ウエスト弾性体６４の代わりに弾性伸縮性の繊維不織布シートを内外面シート７６，７７間に配置してもよい。したがって、本明細書において、例えば、「ポケット内側域４２が帯状域２３の中央部４１の内端部４１ａとつながる」とは、中央部４１とポケット内側域４２とが同一のシート部材によって形成されて折曲部３１において折曲されている場合と、それらが別体のシート部材から形成されて、折曲部３１において両シート部材が連結されている場合とを含む。また、吸収シャーシ１２を形成するシート部材を後方へ延出させて、後ウエストパネルとそれよりもさらに後方へ延出する部分を折り曲げてポケット３０を形成することもできる。
【００２９】
＜吸収シャーシ＞
図２及び図５を参照すると、吸収シャーシ１２は、長方形状であって、前端部１２Ａと、後端部１２Ｂと、前後端部１２Ａ，１２Ｂ間に位置する中間部１２Ｃとを有する。吸収シャーシ１２は、肌対向面側に位置し、透液性を有する繊維不織布製の身体側ライナ８４と、吸液性の吸収体８５と、吸収体８５の底面全体を被覆する不透液性のプラスチックフィルムから形成された防漏シート８６と、吸収シャーシ１２の非肌対向面全体を形成する不透液性又は難透液性の被覆シート８７とを含む。吸収体８５は、フラッフパルプと吸収性ポリマー粒子との混合物から形成された芯材と、芯材全体を被包するテッシュペーパ等から形成された液拡散性のコアラップシートとから構成される。
【００３０】
被覆シート８７は、防漏シート８６の両側縁の横方向Ｘの外側に位置する両側部を有する。両側部は、防漏シート８６の両側縁に隣接して縦方向Ｙへ延びる折曲ラインに沿って内方へ（吸収体８５側へ）折曲されて身体側ライナ８４に固定される。両側部は、身体側ライナ８４に固定されて縦方向Ｙへ互いに離間する両端固定部と、身体側ライナ８４の両側縁部に固定される近位縁部と、両端固定部間において縦方向Ｙへ延び、かつ、近位縁部と並行して縦方向Ｙへ延びる遠位縁部（自由縁部）８８とを有する。遠位縁部８８は、被覆シート８７の外側縁部を折り曲げて固定することによって形成されたスリーブ状をなし、縦方向Ｙへ延びる複数条のストリング状又はストランド状のカフ弾性体８９が伸長状態で収縮可能に配設される。カフ弾性体８９が収縮することによって、該縁部が身体側ライナ８４から着用者の身体側へ離間してバリアカフを形成し、着用者の大腿部にフィットして排泄物の漏れを防止する。また、被覆シート８７の両側部には、縦方向Ｙへ延びる複数条のストリング状又はストランド状のレッグ弾性体９０が伸長状態で収縮可能に固定される。
【００３１】
レッグ弾性体９０は、横方向Ｘにおいて所与寸法離間して配置された複数の弾性材料から形成されており、一定幅において弾性を有する弾性帯を形成するので、着用状態において着用者の脚周りに面状にフィットして排泄物の横漏れを効果的に防止しうる。また、レッグ弾性体９０の後端部は、後ウエスト域１４において後下方ウエスト弾性体６３と平面視において重なっている。レッグ弾性体９０の収縮力の作用するレッグ弾性域と後下方ウエスト弾性体６３の収縮力の作用するウエスト弾性域とが平面視において重なることによって、着用者の大腿部を囲む仮想の弾性帯が形成される。
【００３２】
図２、図６及び図７を参照すると、ベースシート７０は、固定域８３を介して帯状域２３と吸収シャーシ１２の後端部１２Ｂとに固定されており、被覆シート８７の遠位縁部８８間の部分において吸収シャーシ１２の後端部１２Ｂと固定されていない。ベースシート７０がかかる接合態様を有することによって、その非固定域と吸収シャーシ１２の後端部１２Ｂとの間には後ウエスト域１４へ移動した排泄物を収容、保持するための後方スペースＲが画定される。
【００３３】
通常、比較的に低月齢の乳幼児は、授乳時や母親に抱きかかえられた体勢等の様々なシチュエーションで流動性のある軟便を排泄するので、ウエスト開口における後ウエスト域１４から軟便が漏れたり、着用者の背面に軟便が押し付けられて汚れたりするおそれがある。また、おむつ１０の着用中に、前ウエスト域１３においては、ウエスト開口部がずり下がったときに排泄物を収容させることのできるスペースが身体との間に形成されることも考えられるが、後ウエスト域１４においては、臀部が突出した外形を有することからかかる隙間が形成され難く、排泄物を一時的に、収容保持するためには、本実施形態に係るおむつ１０のように、着用状態において、帯状域２３と、ポケット内側域４２と、ポケット外側域４３とによって、ポケット空間Ｓを有するポケット３０が形成される。
【００３４】
従来のおむつにおいて、このような課題を解決するために、前後ウエスト域及び／又はクロッチ域に下方向又は後方へ延びる収容スペースに排泄物を収容する構成は開示されているが、本実施形態のように、後ウエスト域の背面において下方へ（横軸Ｑへ向かって）開口して上方へ延びるポケット３０を備えるおむつ１０は公知ではない。
【００３５】
本実施形態においては、帯状域２３とポケット３０とが後ウエスト域１４のウエスト開口側に位置し、帯状域２３が後上方ウエスト弾性体６４の伸長応力によって着用者の身体にフィットされるので、クロッチ域１５側から後ウエスト開口側へ移動した排泄物の漏れが防止されるとともに、移動が阻止された排泄物が上方へ凸状に延びるポケット空間Ｓに流入して一時的に、収容、保持される。このように、移動が阻止された排泄物を後ウエスト域１４の背面側に位置するポケット３０に進入させることによって、排泄物が身体に接触することによる不快感や肌トラブルを抑制することができる。ポケット３０は、帯状域２３の伸縮と連動するものではないから、後ウエスト域１４が伸長されてもポケット開口が閉じたりするおそれはない。また、ポケット３０は、吸収体８５の上端部（後端部）よりも上方に位置することから、吸収体８５で吸収されずに後ウエスト開口側へ移動した体液を収容することができる。
【００３６】
また、ポケット３０を形成するベースシート７０の一部が後ウエスト域１４にサイドシーム１９から横方向Ｘの内側へ延びる固定域８３を介して接合されており、ベースシート７０自体が、レッグ弾性体９０及びカフ弾性体８９よりも縦方向Ｙの外側に位置して、それらとおむつ１０の平面視において互いに重なっていない。したがって、レッグ弾性体９０やカフ弾性体８９の収縮力が間接的にポケット外側域４３に作用してそれを下方へ引っ張ろうとする力が働いたとしても、ポケット外側域４３が下方へ引っ張られることによって折曲部３３が崩れてポケット空間Ｓが消滅するおそれはない。
【００３７】
本実施形態に係るおむつ１０によれば、帯状域２３とポケット内側域４２とを固定する第１固定域８１Ａと、ポケット内側域４２とポケット外側域４３とを固定する第２固定域８２Ａとを有し、第１及び第２固定域８１Ａ，８２Ａは、横方向Ｘにおいて、吸収体８５の両側縁８５ｃを上方向へ延長した仮想線Ｌ３よりも内方に位置する内方部位８１ｂと、仮想線Ｌ３よりも外方に位置する外方部位８１ｃとを有している。このため、図８に示すように、後ウエスト域１４における横方向Ｘの中央部の外端縁１４ｂに、上方へ引き上げられる力が加えられたときでも、帯状域２３とポケット内外側域４２，４３とが一体となり、その力が矢印Ｆで示すように伝達され、吸収体８５を上方へ移動させることができる。このため、着用者におむつ１０を着用させるとき、吸収体８５を含めておむつ１０を上方へ十分に引き上げることができる。しかも、第１及び第２固定域８１Ａ，８２Ａによって、帯状域２３とポケット内外側域４２，４３とを一体にすることができ、帯状域２３とポケット内側域４２とが離れることを防止するとともに、ポケット内側域４２とポケット外側域４３とが離れることを防止することができるため、ポケット３０の形が崩れることを抑えることができる。このような作用・効果に関し、本実施形態に係るおむつ１０では、第１及び第２固定域８１Ａ，８２Ａによって、引用文献に記載されたおむつのように、ウエスト域１４の外端部（上端部）１４ｂにかかる力が、帯状域２３とポケット内側域４２との展開、及びポケット内側域４２とポケット外側域４３との展開（ウエスト拡張部の展開）に使われることなく、吸収体８５に直接働くため、吸収体８５を上方へ移動させることが容易である。なお、図示省略するが、第１及び第２固定域８１Ａ，８２Ａの上方において、後ウエスト域１４の外端縁１４ｂに、上方へ引き上げられる力が加えられた場合には、その力が、第１及び第２固定域８１Ａ，８２Ａを介して吸収体８５に伝わり、同様の作用・効果を奏する。また、本実施形態においては、第１固定域８１Ａと第２固定域８２Ａとを有するおむつ１０について説明したが、おむつ１０は、第２固定域８２Ａは必ず有する必要はない。ただし、おむつ１０が、第２固定域８２Ａを有していれば、ポケット内側域４２とポケット外側域４３とを一体にすることができるため、おむつ１０を容易に引き上げることができるとともに、ポケット３０の形が崩れることを防止することができる。
【００３８】
さらに、このおむつ１０によれば、第１固定域８１Ａ及び第２固定域８２Ａは、それらの横方向Ｘの寸法がほぼ同等であって、それらの間に位置する第１及び第２非固定域８１Ｂ，８２Ｂの横方向Ｘの寸法もほぼ同等であるため、ポケット３０は後ウエスト域１４の横方向Ｘの中央に位置し、ポケット空間Ｓ及びポケット３０の形状を維持する上で好ましい。
【００３９】
加えて、このおむつ１０によれば、第１及び第２固定域８１Ａ，８２Ａが、内方部位８１ｂ，８２ｂから外方部位８１ｃ，８２ｃまで横方向Ｘへ連続して延びるものであるため、第１及び第２固定域８１Ａ，８２Ａの面積を大きくし、ポケット３０の形状が崩れるのを確実に抑えることができる。なお、おむつ１０において、後上方ウエスト弾性体６４等の弾性要素によって形成される皺（縦方向Ｙへ延びる皺）の横方向Ｘの間隔は、５〜９ｍｍである。この皺の間隔を考慮すると、上記「第１及び第２固定域８１Ａ，８２Ａが、内方部位８１ｂ，８２ｂから外方部位８１ｃ，８２ｃまで横方向Ｘへ連続して延びる」には、横方向Ｘの寸法が５ｍｍ以下の非接合域（帯状域２３とポケット内側域４２とを接合しない非接合域、およびポケット内側域４２とポケット外側域４３とを接合しない非接合域）が、内方部位８１ｂ，８２ｂと外方部位８１ｃ，８２ｃとの間に存在するものも含まれる。
【００４０】
また、本実施形態においては、防漏シート８６が吸収体８５の上端部（後端部）から折曲部３３へ向かって延び、かつ、ポケット３０の開口の横方向Ｘの寸法よりも大きな横方向Ｘの寸法を有する。このように、ポケット開口よりも幅広であって、不透液性の防漏シート８６がポケット開口に位置することによって、ポケット空間Ｓ内へ進入する排泄物の滲出を防止することができる。
【００４１】
［第２実施形態］
第２実施形態のおむつ１０の着用状態を図９に示す。このおむつ１０のポケット３０は、上記ポケット内外側域４２，４３と、ポケット内外側域４２，４３の両側部とから形成され、横方向Ｘの内側へ折り込まれたポケット両側域３２とによって画成される。ポケット内外側域４２，４３の両側部は、互いに重ね合されてポケット両側域３２を形成しており、ポケット両側域３２以外の部分からなる両側域４５が帯状域２３の両側部に固定される。
【００４２】
ポケット両側域３２は、横方向Ｘの内側へ（縦軸Ｐへ向かって）折り込まれている。図９を参照すると、おむつ１０の着用状態における、折曲部３１とポケット両側域３２とが展開された状態において、中央部４１とポケット３０との間には、上方へ開口した凹部２５が画定される。ポケット両側域３２は、伸展可能に折り込まれる限りにおいて、意図せずに折曲された部分を含めて複数折曲されて、縦方向Ｙへ延びる折曲ラインが複数形成されていてもよい。
【００４３】
ポケット３０は、下方向へ向かって折り曲げられた折曲部３１と、横方向Ｘの内側へ向かって折り込まれたポケット両側域３２と、ウエスト開口２１へ（上方向へ）向かって折り曲げられた折曲部３３とを有し、それらが互いに異なる方向（３方向）へ折曲されていることによって、帯状域２３がウエスト周り方向へ伸長されたときに、ポケット両側域３２が起立して、ポケット内側域４２が帯状域２３の中央部４１から離間するように後方へ移動する。
【００４４】
このおむつのベースシート７０を図１０に示す。なお、図１０（ａ），（ｂ）は、図３（ａ），（ｂ）と同一であるため、説明を省略する。
【００４５】
図１０（ａ）〜（ｃ）に示す状態では、ベースシート７０の両側部に、横方向Ｘへ互いに離れる方向へ力が加えられているが、図１０（ｄ）を参照すると、ベースシート７０は、外端部７３が後上方ウエスト弾性体６４によって収縮しており、第１及び第２折曲線７１，７２に沿って折り曲げられて第１及び第２固定域８１Ａ，８２Ａを介して接合された状態から、積層された中間部７４と内端部７５とを第２非固定域８２Ｂの側縁に沿って縦方向Ｙへ延びる一対の第３折曲線７９Ａと第４折曲線（山折り折曲線）７９Ｂとに沿ってさらに折り曲げられることによって、外端部７３を除く部分（中間部７４及び内端部７５）が断面略Ω状を有する。かかる折り畳まれた状態のベースシート７０の横方向Ｘの寸法は、自然状態（各弾性体が非伸長の状態）における後ウエスト域１４の横方向Ｘの寸法とほぼ同じである。
【００４６】
再び、図９を参照すると、着用状態においては、帯状域２３が後上方ウエスト弾性体６４の収縮力によって横方向Ｘへ収縮することでポケット両側域３２が起立し、ポケット内側域４２が帯状域２３の中央部から離間することによって、第１実施形態のおむつ１０よりも大きなポケット空間Ｓが形成される。
【００４７】
本実施形態に係るおむつ１０では、ポケット３０は、ポケット内外側域４２，４３と、ポケット両側域３２とを有するため、図１１に示すように、非着用上位においても立体形状を呈し、着用状態においては、排泄物を一時的に、収容保持することが可能なポケット空間Ｓを意図的に形成することができる。
【００４８】
また、着用者が仰臥状態であって、ポケット３０に着用者の体圧が掛かったときにおいても、ポケット両側域３２が折り込まれた態様を有して帯状域２３の中央部４１とポケット内側域４２とが互いに当接した状態となるので、ベースシート７０が体圧によって歪に変形されたりして、後ウエスト域１４における部分的な厚みの変化によって生じる異物感を着用者に与えるおそれはない。ポケット両側域３２は、着用者の身体に接近離間する方向、すなわち、厚さ方向Ｚにおいて屈伸運動可能であるから、体圧から開放されたときに、ポケット両側域３２が身体から離間する方向へ起立して、再び立体的なポケット空間Ｓが形成される。
【００４９】
このおむつ１０は、帯状域３２において、後ウエスト域１４の両側縁１４ｃ間に延びる後上方ウエスト弾性体６４を有している。これにより、着用者が仰臥状態になったり、母親に背中を抑えられた状態で抱きかかえられたりして、ポケット３０にそれを身体側へ押し付けようとする力が繰り返し作用した場合であっても、ポケット両側域３２の屈伸運動によってポケット３０が安定的に繰り返して立体形状を呈することができるので、頻繁に姿勢を変化させたり、頻度高い軟便を繰り返す低月齢の乳幼児が着用する場合であっても、軟便を確実にポケット空間Ｓに収容することができる。また、本実施形態においては、既述のとおり、ポケット内側域４２は、所要の縦方向Ｙの寸法を有することから、ポケット両側域３２が起立することによって中央部４１に対して傾斜して後方へ移動し、ポケット３０の天面としての役割を果たし得るので、天面及びポケットの両側域側の折曲構造を有しない態様に比して、より多くの排泄物を収容することができる。
【００５０】
着用状態において、後上方ウエスト弾性体６４の収縮力によるギャザーがなくなる程度にまで帯状域２３が横方向Ｘ（ウエスト方向）へ伸長されたときには、ポケット両側域３２における折り込みが解除されてポケット内側域４２が中央部４１に向かって移動してポケット空間Ｓが消滅するおそれがある。したがって、帯状域２３が横方向Ｘへ伸長された場合でも、ポケット３０が立体形状を呈するためには、中央部４１を含めた帯状域２３の横方向Ｘにおける収縮量（収縮している部分の横方向Ｘにおける長さ寸法）が、ポケット内側域４２及び／またはポケット外側域４３の横方向Ｘにおける収縮量よりも大きいことが好ましい。かかる場合には、例えば、帯状域２３が自然状態（収縮時）に比して横方向Ｘへ所定倍率伸長されたときであっても、ポケット両側域３２が完全に倒伏されず、ポケット３０は立体形状を維持することができる。
【００５１】
したがって、帯状域２３には、横方向Ｘへ伸縮可能な弾性体を配置する一方、ポケット内側域４２及び／又はポケット外側域４３には弾性体を配置せず、実質的に弾性的に非伸縮性とすることが好ましい。また、図示していないが、ポケット内側域４２及び/又はポケット外側域４３に横方向Ｘへ伸縮可能な弾性体を配置する場合には、中央部４１に配置する弾性体、すなわち、後上方ウエスト弾性体６４よりも収縮率の低い弾性体を配置することが好ましい。ポケット内側域４２に横方向Ｘへ伸長可能な弾性体を配置した場合には、中央部４１が伸長されてポケット両側域３２にそれを倒伏させようとする力が作用するときに、該弾性体が収縮せずにその力に抗してポケット両側域３２の起立状態及び中央部４１からポケット内側域４２が離間した状態を維持するので、ポケット３０がより安定的に立体形状を呈することができる。さらに、ポケット内外側域４２，４３がともに弾性伸縮性を有する場合には、ポケット３０を安定的に形成するために、ポケット内側域４２の横方向Ｘにおける収縮率がポケット外側域４３の横方向Ｘにおける収縮率よりも高いことが好ましい。
【００５２】
再び、図９を参照すると、帯状域２３の外端部（上端縁）１４ｂは、ポケット３０の折曲部３３よりも上方に位置する。このように、帯状域２３がポケット３０よりも上方に位置することによって、ポケット３０が開いた状態であって、帯状域２３は着用者に密接された状態が維持され、ウエスト開口２１からの排泄物の漏れを阻止しうる。また、中央部４１とポケット３０とがベースシート７０から形成され、それらを形成するシート部材の横方向Ｘの寸法が同一であるといえることから、中央部４１が後上方ウエスト弾性体６４の影響で収縮することによって、ポケット内側域４２に弾性体が配置されていなくても、折曲部３１においてその内端部４１ａと連なるポケット内側域４２の横方向Ｘの寸法が縮められる。それによって、ポケット内側域４２には、縦方向Ｙへ延びる複数のギャザー（畝）が形成される。このように、縦方向Ｙへ延びる複数のギャザーが形成されることによって、それらがリブのように機能して、ポケット内側域４２の横方向Ｘ及び縦方向Ｙにおける剛性が向上する。それによって、ポケット両側域３２が起立した状態においてポケット３０は、安定的にボックス状の立体形状を形成することができる。図示していないが、前ウエスト域１３においても、尿を一時的に収容保持するために、後ウエスト域１４と同様に下方へ開口可能なポケットを配置してもよい。
【００５３】
＜変形例１＞
図１２は、第１及び第２実施形態のおむつ１０の変形例１を示している。図１２の右側の部分は、第２固定域８２Ａを示すために説明の便宜上、ベースシート７０の外端部７３及び中間部７４を破断してあり、図１２の左側の部分は、第１固定域８１Ａを示すために説明の便宜上、ベースシート７０の外端部７３を破断してある。本変形例においては、第１固定域８１Ａと第２固定域８２Ａは、同形同大であって、第１及び第２固定域８１Ａ，８２Ａが、おむつ１０の平面視において、互いに重なるように配置してある。また、第１及び第２固定域８１Ａ，８２Ａは、横方向Ｘにおいて、吸収体８５の両側縁８５ｃを上方へ延長した仮想線Ｌ３よりも内方に位置する内方部位８１ｂ，８２ｂ、及び仮想線Ｌ３よりも外方に位置する外方部位８１ｃ，８２ｃのみによって形成され、横方向において、内方部位８１ｂ，８２ｂと外方部位８１ｃ，８２ｃとの間には、帯状域２３とポケット内側域４２とを接合しない非固定域８１ｄ、及びポケット内側域４２とポケット外側域４３とを接合しない非接合域８１ｅがそれぞれ形成される。上記のおむつ１０では、固定域８１Ａ，８２Ａ，８３の面積を小さくし、接着剤の量を減少することができる。
【００５４】
＜変形例２＞
図１３には、第１及び第２実施形態のおむつ１０の変形例２を示している。図１３を参照すると、このおむつ１０の吸収体８５は、クロッチ域１５から後ウエスト域１４へ向かって縦方向（上下方向）Ｙへ延びる凹状の誘導溝８０を有する。誘導溝８０は、吸収体８５の吸液性コアが非存在又は他の部分に比して質量が小さくなっているものであって、切欠又は有底の溝である。本変形例における誘導溝８０は、他の部分に比して厚さ寸法の小さい有底である。また、誘導溝８０は、３条であるが、単数であってもよく、２条又は４条以上の複数条形成されていてもよい。このおむつ１０によれば、ポケット空間Ｓが存在する吸収体８５の後端部を厚さ方向へ容易に変形することができるため、柔便等の排泄物を収容するポケット空間Ｓをより大きくすることができる。
【００５５】
＜変形例３＞
図１４には、第１及び第２実施形態のおむつ１０の変形例３を示している。図１４を参照すると、このおむつ１０のベースシート７０には、横方向Ｘへ延びる、内外面シート７６，７７間において伸長状態で収縮可能に固定されたストリング状又はストランド状の第１ポケット弾性体４９ａと第２ポケット弾性体４９ｂとをさらに有する。
【００５６】
このおむつ１０によれば、ポケット内外側域４２，４３に横方向Ｘへ伸長可能な第１及び第２ポケット弾性体４９ａ，４９ｂが配置されていることによって、中央部４１が伸長されてポケット両側域３２にそれを倒伏させようとする力が作用するときに、該弾性体４９ａ，４９ｂが収縮せずにその力に抗してポケット両側域３２の起立状態及び帯状域２３からポケット内側域４２が離間した状態を維持するので、ポケット３０がより安定的に立体形状を呈することができる。しかも、ポケット弾性体４９ａ、４９ｂによって、ポケット内外側域４２，４３の単位面積当たりの質量を向上することができ、これによってポケット内外側域４２，４３の剛性を向上し、後ウエスト域１４を上方へ引き上げる力を確実に吸収体に伝えることができる。なお、ポケット弾性体４９ａ，４９ｂを必ずベースシート７０に設ける必要はない。
【００５７】
＜変形例４＞
図１５には、第２実施形態のおむつ１０の変形例４を示している。後ウエスト域１４には、ベースシート７０にポケット両側域３２が形成されることによって、図１５に示すように、吸収シャーシ１２の後端部１２Ｂの吸収体８５には、横方向Ｘの中央に位置する主体部８５ａと、横方向Ｘの両側に位置する側壁部８５ｂとが形成される。このおむつ１０によれば、軟便等の排泄物は、ポケット空間Ｓの肌対向面に位置する主体部８５ａのみならず、ポケット空間Ｓの両側に位置する側壁部８５ｂによっても吸収及び保持することができる。
【００５８】
なお、上記第１及び第２実施形態の変形例１〜４に示すおむつ１０では、縦方向Ｙにおいて、折曲部３３と吸収体８５との間に間隔があるが、ポケット空間Ｓの内部まで吸収体８５が上方へ延びていてもよい。このような吸収体８５をおむつ１０が備える場合、吸収体８５の両側縁８５ｃよりも内方に内方部位８１ｂ，８２ｂが位置するとともに、吸収体８５の両側縁８５ｃよりも外方に外方部位８１ｃ，８２ｃが位置する。また、おむつ１０が、後ウエストシート６０とベースシート７０とをそれぞれ有する例で説明したが、後ウエストシート６０とベースシート７０とが一体となっているシートを使用してもよい。さらに、上記おむつ１０では、第１固定域８１Ａと第２固定域８２Ａとが平面視において重なる例を説明したが、必ずしもこれに限られない。
【００５９】
本発明のおむつ１０を構成する各構成材料には、特に記述がなされている場合を除き、この種の分野において通常用いられている、各種の公知の材料を制限なく用いることができる。また、おむつ１０の基本構造として、本明細書においては、前後ウエスト域１３，１４が別体の前後ウエストパネル１７，１８から形成されるものを例示したが、前後ウエスト域１３，１４及びクロッチ域１５とが連続するパネルによって形成された構成であってもよいし、前後ウエスト域１３，１４の両側縁部が予め連結されたパンツ型ではなく、それらをテープファスナで連結するオープン型のおむつであってもよい。また、本明細書において使用されている「第１」〜「第３」等の用語は、同様の要素、位置等を単に区別するために用いてある。さらに、着用者が横臥状態であるとき、このおむつ１０における上方側とは着用者の頭部に近い側であり、下方側とは脚部に近い側である。
【符号の説明】
【００６０】
１０    使い捨ておむつ
１３    前ウエスト域
１４    後ウエスト域
１４ｂ  外端縁（後ウエスト域のウエスト開口縁）
１５    クロッチ域
２３    帯状域（肌当接域）
３０    ポケット
３１    折曲部
３２    ポケット両側域
４１    帯状域（肌当接域）の中央部
４１ａ  中央部の下端部（中央部の内端部）
４２    ポケット内側域
４３    ポケット外側域
４５    ポケットの両側域
４９ａ  第１ポケット弾性体（ポケット内側域を横方向へ弾性的に収縮する弾性部材）
４９ｂ  第２ポケット弾性体（ポケット外側域を横方向へ弾性的に収縮する弾性部材）
８１Ａ  第１固定域
８１ｂ  内方部位
８１ｃ  外方部位
８２Ａ  第２固定域
８２ｂ  内方部位
８２ｃ  外方部位
８５    吸収体
８５ｃ  吸収体の両側縁
Ｌ３    仮想線
Ｘ      横方向
Ｙ      縦方向
【図１】
0006449123.tif 000002
【図２】
0006449123.tif 000003
【図３】
0006449123.tif 000004
【図４】
0006449123.tif 000005
【図５】
0006449123.tif 000006
【図６】
0006449123.tif 000007
【図７】
0006449123.tif 000008
【図８】
0006449123.tif 000009
【図９】
0006449123.tif 000010
【図１０】
0006449123.tif 000011
【図１１】
0006449123.tif 000012
【図１２】
0006449123.tif 000013
【図１３】
0006449123.tif 000014
【図１４】
0006449123.tif 000015
【図１５】
0006449123.tif 000016